(57)【要約】【課題】  構造を簡単にするとともに取水口に流れ込もうとするゴミを確実に下流に逃がすようにした。【解決手段】  底面１０及びこの底面１０に立設された一対の側面１１を有した水路Ｃの当該側面１１に開口した取水口１２に、取水口１２の上流側の一側縁１３に回動可能に設けられ回動により取水口１２を閉じる閉位置Ａ及び回動により水路Ｃ側に突出する突出位置Ｂの２位置に位置させられる網状のスクリーンＳと、このスクリーンＳを回動させて閉位置Ａ及び突出位置Ｂに位置させる駆動機構４０とを備えた。【選択図】  図１
2005042509.tif 000002
【特許請求の範囲】
【請求項１】
底面及び該底面に立設された一対の側面を有した水路の当該側面に開口した取水口に設けられ、上記水路の上流から流れて上記取水口に流入しようとするゴミを該水路の下流に逃がす水路の取水口用ゴミ逃がし装置において、
上記取水口の上流側の一側縁に回動可能に設けられ回動により取水口を閉じる閉位置及び回動により水路側に突出する突出位置の２位置に位置させられる網状のスクリーンと、該スクリーンを回動させて上記閉位置及び突出位置に位置させる駆動機構とを備えたことを特徴とする水路の取水口用ゴミ逃がし装置。
【請求項２】
上記スクリーンを、上流側の主スクリーンと、該主スクリーンの下流側端縁に連設され上記突出位置において上記主スクリーンの下流側端縁及び上記取水口の下流側の他側縁の間を覆う従スクリーンとを備えて構成したことを特徴とする請求項１記載の水路の取水口用ゴミ逃がし装置。
【請求項３】
上記従スクリーンの上流側端縁を上記主スクリーンの下流側端縁に回動可能に支持し、上記取水口の他側縁より下流側の水路の側面に、上記従スクリーンの下流側端縁を該水路の側面に沿って移動可能にガイドするガイド機構を設けたことを特徴とする請求項２記載の水路の取水口用ゴミ逃がし装置。
【請求項４】
上記ガイド機構を、上記従スクリーンの下流側端縁に設けられるローラと、上記水路の側面に設けられ上記ローラが転動するレールとを備えて構成したことを特徴とする請求項３記載の水路の取水口用ゴミ逃がし装置。
【請求項５】
上記駆動機構を、上記スクリーンの上流側端縁が固定される回動軸と、上記取水口に設けられ回動軸を回動自在に支持する軸受けと、回動軸を回動させる回動部とを備えて構成したことを特徴とする請求項１，２，３または４記載の水路の取水口用ゴミ逃がし装置。
【請求項６】
上記回動部を、モータと、該モータの回動を上記回動軸に伝導するギア機構とを備えて構成したことを特徴とする請求項５記載の水路の取水口用ゴミ逃がし装置。
【請求項７】
上記取水口の下縁が上記水路の底面よりも高く該下縁と底面との間に段差面が形成される場合において、上記スクリーンの下端縁に、該下端縁から下方に延びる上記段差面の高さに略対応したロッドを櫛歯状に多数列設したことを特徴とする請求項１，２，３，４，５または６記載の水路の取水口用ゴミ逃がし装置。
【請求項８】
上記取水口の下縁が上記水路の底面よりも高く該下縁と底面との間に段差面が形成される場合において、上記スクリーンの下端部の上記取水口側に、上記閉位置において上記段差面へ当接するパッキンを備えたことを特徴とする請求項１，２，３，４，５，６または７記載の水路の取水口用ゴミ逃がし装置。
【発明の詳細な説明】
【技術分野】
【０００１】
本発明は、水路の側面に開口した取水口に設けられ、水路の上流から流れて取水口に流入しようとするゴミを水路の下流に逃がす水路の取水口用ゴミ逃がし装置に関する。
【背景技術】
【０００２】
従来、この種の水路の取水口用ゴミ逃がし装置としては、例えば、特許文献１（特開平１０−８４３９号公報）に記載されたものが知られている。
この水路の取水口用ゴミ逃がし装置は、図８に示すように、水路Ｃの側面に開口した取水路の取水口４に設けられ、水路Ｃの上流から流れて取水口４に流入しようとするゴミを該水路Ｃの下流に逃がすものである。
【０００３】
このゴミ逃がし装置Ｄａは、水路Ｃの取水口４の開口面を遮断するように設けられたスクリーンＳａを備えており、このスクリーンＳａは、軸２に多数の円板１を連通して形成されこの軸２を中心に回動可能に形成された複数の円筒部材３を、隣接する円筒部材３の円板１同士が交互に噛合するように複数列設して形成されている。
また、円筒部材３は、モータ及びモータの回動を軸に伝達するプーリ等を備えた駆動機構（図示せず）により、互いに連動して同方向に回動させられる。
このゴミ逃がし装置Ｄａを用いて、水路Ｃの上流から流れて取水口４に流入しようとするゴミを水路の下流に逃がす場合は、取水時に、スクリーンＳａの各円筒部材３の軸２を駆動機構で回動させる。
【０００４】
この際、水路Ｃから流入する水は、円板１と円板１との間を通って取水口４から取水路側に流れ込む一方、水路Ｃの上流から流れて取水口４に流入しようとするゴミは、スクリーンＳａの円筒部材３の円板１に遮られるとともに、取水口４に流れ込む水により水路Ｃ側の外周面に押し付けられる。円筒部材３の水路Ｃ側の外周面に押し付けられたゴミは、円筒部材３の回動により、このゴミが水路側の外周面に付着している円筒部材３の下流側に隣接する円筒部材３に、順次移送されていき、最下流の円筒部材３から水路の下流に逃がされるようになる。
【０００５】
【特許文献１】特開平１０−８４３９号公報
【発明の開示】
【発明が解決しようとする課題】
【０００６】
ところで、このような従来の水路の取水口用ゴミ逃がし装置Ｄａにあっては、各円筒部材３の円板１を互いに噛合して、各円筒部材３を全て回動させなければならず、構造が複雑になり、また、装置の製造や設置が煩雑になっているという問題があった。
また、スクリーンＳａの円筒部材３に押し付けられて付着したゴミが、例えば、樹脂製の袋のようにその表面が滑らかであったりすると、ゴミが円筒部材３に対して滑って下流側の円筒部材３に移送できなくなり、確実にゴミを下流に逃がせなくなることがあるという問題もあった。
【０００７】
本発明は上記の問題点に鑑みて為されたもので、構造を簡単にするとともに取水口に流れ込もうとするゴミを確実に下流に逃がすようにした水路の取水口用ゴミ逃がし装置を提供することを目的とする。
【課題を解決するための手段】
【０００８】
このような目的を達成するための本発明の水路の取水口用ゴミ逃がし装置は、底面及び該底面に立設された一対の側面を有した水路の当該側面に開口した取水口に設けられ、上記水路の上流から流れて上記取水口に流入しようとするゴミを該水路の下流に逃がす水路の取水口用ゴミ逃がし装置において、上記取水口の上流側の一側縁に回動可能に設けられ回動により取水口を閉じる閉位置及び回動により水路側に突出する突出位置の２位置に位置させられる網状のスクリーンと、該スクリーンを回動させて上記閉位置及び突出位置に位置させる駆動機構とを備えている。
【０００９】
従って、この水路の取水口用ゴミ逃がし装置を用いる際は、取水口に設けたスクリーンを閉位置で待機させておく。
この際、水路の上流から流れてくる水は、その一部が取水口に流入していく。そして、水のみが金網の間を通って流入する一方、ゴミはスクリーンに付着していく。
【００１０】
そして、閉位置において、スクリーンにゴミがある程度溜まって取水に影響する前に、駆動機構を作動させる。
駆動機構が作動すると、スクリーンは取水口の上流側一側縁を中心に回動させられ、スクリーンが水路側の突出位置に突出させられる。
この際、突出位置において、スクリーン上のゴミは、取水口に流れ込む水流から離されるとともに、水路の上流から下流に流れる水流に晒される。そして、スクリーン上のゴミの一部は、この上流から下流に流れる水流により、水路の下流へ逃がされていき、また、一部はスクリーンに押し付けられた状態を保持する。
【００１１】
次に、スクリーンが閉位置に位置するように、スクリーンの当初の回動とは逆方向に回動させる。
この際、スクリーン上に残ったゴミは、水路の上流から下流に流れる水流に晒され、水路の下流に逃されていく。
また、この際、相対的にスクリーンの裏面から表面に向かう水の流れができ、スクリーン上のゴミにはスクリーンから離間するように水の力が作用するので、スクリーン上のゴミがスクリーンから離れて、水路の上流から下流に流れる水の流れに晒され易くなり、確実に水路の下流に逃がされていく。
【００１２】
これにより、本装置はスクリーンを開閉させる簡単な機構なので、構造を簡単にすることができるとともに、駆動機構により、スクリーンを閉位置から突出位置に突出させたあと閉位置に戻すだけで、スクリーンに付着したゴミを水路の上流から下流に流れる水の流れに晒すことができるので、取水口に流れ込もうとするゴミを確実に下流に逃がすことができる。また、ある程度、スクリーンにゴミが溜まるまでは、駆動機構を停止させ、必要時に駆動させればよいので、それだけ装置の作動効率が向上させられる。
【００１３】
また、必要に応じ、上記スクリーンを、上流側の主スクリーンと、該主スクリーンの下流側端縁に連設され上記突出位置において上記主スクリーンの下流側端縁及び上記取水口の下流側の他側縁の間を覆う従スクリーンとを備えた構成としている。
スクリーンが回動し、主スクリーンの下流側端縁と、取水口の下流側の他側縁の間が開いても、これを従スクリーンが覆うので、スクリーンが突出位置に位置しても、ゴミがこの間から取水口に流れ込むのを防ぐことができる。
【００１４】
更に、必要に応じ、上記従スクリーンの上流側端縁を上記主スクリーンの下流側端縁に回動可能に支持し、上記取水口の他側縁より下流側の水路の側面に、上記従スクリーンの下流側端縁を該水路の側面に沿って移動可能にガイドするガイド機構を設けている。
従スクリーンの下流側端縁が、ガイド機構にガイドされるので従スクリーンが円滑に動くようになり、スクリーンが突出位置や閉位置に位置しやすくなり、確実にゴミを下流に逃がすことができる。
【００１５】
更にまた、必要に応じ、上記ガイド機構を、上記従スクリーンの下流側端縁に設けられるローラと、上記水路の側面に設けられ上記ローラが転動するレールとを備えた構成としている。簡単な構造で従スクリーンの下流側端縁を確実に水路の側面に移動可能に保持でき、取水口からゴミを流れ込まないようにすることができる。
【００１６】
そしてまた、必要に応じ、上記駆動機構を、上記スクリーンの上流側端縁が固定される回動軸と、上記取水口に設けられ回動軸を回動自在に支持する軸受けと、回動軸を回動させる回動部とを備えた構成としている。簡単な構造でスクリーンを回動させることができる。また、回動軸を円滑に回動することができ、それだけ、スクリーンを突出位置や閉位置に移動させやすくなる。
また、必要に応じ、上記回動部を、モータと、該モータの回動を上記回動軸に伝動するギア機構とを備えている。構造を簡単にできる。
【００１７】
更に、必要に応じ、上記取水口の下縁が上記水路の底面よりも高く該下縁と底面との間に段差面が形成される場合において、上記スクリーンの下端縁に、該下端縁から下方に延びる上記段差面の高さに略対応したロッドを櫛歯状に多数列設した構成としている。スクリーンが閉位置と突出位置の２位置に移動する間、スクリーンの下端縁と取水口の下縁との間が開いても、スクリーンと水路の底面との間にロッドが介在するので、このスクリーンの下端縁から取水口に入り込もうとするゴミがロッドに当たって、入り込みが防止される。
そしてまた、必要に応じ、上記取水口の下縁が上記水路の底面よりも高く該下縁と底面との間に段差面が形成される場合において、上記スクリーンの下端部の上記取水口側に、上記閉位置において上記段差面へ当接するパッキンを備えた構成としている。
このため、閉位置において、パッキンが段差面へ当接して、スクリーンの下端縁側からのゴミの流入を防ぐとともに、水路から取水口に流れる水の水圧に対してスクリーンを支持することができる。また、スクリーンが突出位置から閉位置に位置する際に、パッキンが取水口の下側の段差面に当接してスクリーンに生じる衝撃を吸収する。
【発明の効果】
【００１８】
以上説明したように、本発明の水路の取水口用ゴミ逃がし装置によれば、取水口の上流側の一側縁に回動可能に設けられ回動により取水口を閉じる閉位置及び回動により水路側に突出する突出位置の２位置に位置させられる網状のスクリーンと、スクリーンを回動させて閉位置及び突出位置に位置させる駆動機構とを備えたので、本装置はスクリーンを開閉させる簡単な機構であることから、構造を簡単にすることができるとともに、駆動機構により、スクリーンを閉位置から突出位置に突出させたあと閉位置に戻すだけで、スクリーンに付着したゴミを水路の上流から下流に流れる水の流れに晒すことができるので、取水口に流れ込もうとするゴミを確実に下流に逃がすことができる。また、ある程度、スクリーンにゴミが溜まるまでは、駆動機構を停止させ、必要時に駆動させればよいので、それだけ装置の作動効率を向上させることができる。
【発明を実施するための最良の形態】
【００１９】
以下、添付図面に基づいて、本発明を実施するための最良の形態に係る水路の取水口用ゴミ逃がし装置について詳細に説明する。
【００２０】
図１乃至図４には、水路Ｃの取水口用ゴミ逃がし装置Ｄ１を示している。
この水路Ｃの取水口用ゴミ逃がし装置Ｄ１は、例えば、底面１０及びこの底面１０に立設された一対の側面１１を有した水路Ｃの当該側面１１に開口した取水口１２に設置され、この水路Ｃの上流から流れて取水口１２に流入しようとするゴミを水路Ｃの下流に逃がすものである。取水口１２の下縁１５は、水路Ｃの底面１０よりも高い位置に形成され、取水口１２の下縁１５と水路Ｃの底面１０との間に段差面１６が形成されている。
【００２１】
詳しくは、この水路Ｃの取水口用ゴミ逃がし装置Ｄ１には、取水口１２の上流側の一側縁１３に回動可能に設けられ回動により取水口１２を閉じる閉位置Ａ及び回動により水路Ｃ側に突出する突出位置Ｂの２位置に位置させられる網状のスクリーンＳと、このスクリーンＳを回動させて閉位置Ａ及び突出位置Ｂに位置させる駆動機構４０とが備えられている。
スクリーンＳは、上流側の主スクリーン２０と、この主スクリーン２０の下流側端縁２５に連設されスクリーンＳの突出位置Ｂにおいて主スクリーン２０の下流側端縁２５及び取水口１２の下流側の他側縁１４の間を覆う従スクリーン２１とを備えている。
【００２２】
主スクリーン２０及び従スクリーン２１は、外周の枠体２２と、この枠体２２に等間隔で架設された棒状の複数の受け部材２２ａと、枠体２２及び受け部材２２ａに支持されてなる金網２３とを備えて形成されている。
主スクリーン２０は、スクリーンＳの閉位置Ａにおいて、取水口１２の上流側の一側縁１３及び下流側他側縁１４の間を覆っている。
また、従スクリーン２１は、スクリーンＳの閉位置Ａにおいて、主スクリーン２０と同一の平面を有するように配置され、取水口１２の下流側の水路Ｃの側面１１に相対向するように設けられている。更に、従スクリーン２１の上流側端縁２４と主スクリーン２０の下流側端縁２５とを連通する軸２６が備えられ、従スクリーン２１は、この軸２６を中心に主スクリーン２０の下流側端縁２５に回動可能に支持されている。
【００２３】
更に、取水口１２の他側縁１４より下流側の水路Ｃの側面１１には、従スクリーン２１の下流側端縁２７を水路Ｃの側面１１に沿って移動可能にガイドするガイド機構３０が設けられている。
ガイド機構３０は、従スクリーン２１の下流側端縁２７の上端及び下端に設けられる一対のローラ３１と、水路Ｃの側面１１にローラ３１に対応して設けられ、ローラ３１が転動する一対のレール３２とを備えて構成されている。
【００２４】
また、スクリーンＳの下端縁３４には、この下端縁３４から下方に延びるゴミ避けロッド２８が櫛歯状に多数列設されている。
また、主スクリーン２０及び従スクリーン２１の下端部３４ａであって、下側の枠体２２の取水口１２側には、閉位置ＡにおいてスクリーンＳが取水口１２下側の段差面１６へ当接し下端縁３４側からのゴミの流入を防ぐとともに、水路Ｃから取水口１２に流れる水の水圧に対してスクリーンＳを支持するパッキン２９が備えられている。パッキン２９は、例えば、ゴム製の板で形成され、ある程度の弾性を有している。
【００２５】
駆動機構４０は、主スクリーン２０の上流側端縁３３が固定される回動軸４１と、取水口１２に設けられ回動軸４１を回動自在に支持する軸受け４２と、回動軸４１を回動させる回動部４３とを備えて構成されている。
軸受け４２は、取水口１２の上流側の一側縁１３に、上下に一対設けられている。
回動部４３は取水口１２の上流側の一側縁１３の上部に設けられ、回動軸４１を回動させる正逆転可能なモータ４４と、このモータ４４の回動を回動軸４１に伝動するギア機構４５とを備えて構成されている。
【００２６】
ギア機構４５は、モータ４４の回動軸４１に設けられるウオーム４６と、回動軸４１に回動軸４１と同軸に設けられるウオームホイール４７とを備えている。
また、回動部４３には、モータ４４の伝動を解除して回動軸４１を回動させるためのハンドル４８が備えられている。このハンドル４８を手動で回動して、回動軸４１を回動させることもできる。
【００２７】
このスクリーンＳを閉位置Ａから突出位置Ｂに突出させる場合には、回動部４３のモータ４４若しくはハンドル４８の正転により、ギア機構４５を介して、回動軸４１を所定角度回動させて行なう。
また、スクリーンＳを突出位置Ｂから閉位置Ａに後退させる場合には、モータ４４若しくはハンドル４８の逆転により、ギア機構４５を介して、回動軸４１の回動方向を逆にし、突出位置Ｂに回動させた回動方向とは逆方向に所定角度回動させて行なう。
これにより、スクリーンＳを閉位置Ａと突出位置Ｂの２位置に位置させるには、回動部４３のモータ４４を正逆転させて回動軸４１を回動させればよく、構造が簡単になる。
【００２８】
また、この水路Ｃの取水口用ゴミ逃がし装置Ｄ１には、駆動機構４０を制御する制御機構５０が備えられている。この制御機構５０には、例えば、水路Ｃの水位を検知する水路水位検知センサ（図示せず）と、取水口１２から延びる取水路の水位を検知する取水路水位検知センサ（図示せず）とが備えられている。そして、この制御機構は、水路水位検知センサで検知された水位と取水路水位検知センサで検知された取水路の水位とを比較して、取水路の水位が水路Ｃの水位よりも所定の差だけ低くなると駆動機構４０を作動させる。
更に、この制御機構５０には、取水口１２を流れる水の流速Ｖａを検知する流速検知センサ（図示せず）が備えられている。そして、制御機構には、流速検知センサの検知結果に基づいて、スクリーンＳの上流側端縁の移動速度Ｖｂが、取水口１２の水の流速Ｖａよりも速くなるように、モータ４４の回動速度を可変にする切換え手段が備えられている。
【００２９】
従って、この水路Ｃの取水口用ゴミ逃がし装置Ｄ１を用いる際は、まず、予め、水路Ｃの取水口１２にこの水路の取水口用ゴミ逃がし装置Ｄ１を設置し、図４（ａ）に示すように、スクリーンＳを閉位置Ａで待機させておく。
この際、水路Ｃの上流から流れてくる水は、その一部が取水口１２に流入していく。そして、水のみが金網２３の間を通って取水口１２から流入する一方、ゴミはスクリーンＳにその流れが停止され、取水口１２に流入する水の流れによりスクリーンＳ上に押し付けられて付着する。
【００３０】
詳しくは、閉位置Ａでは、取水口１２は主スクリーン２０に覆われているので、主スクリーン２０にゴミは付着する。この主スクリーン２０に付着したゴミが多数になると、取水口１２から取水路に流入する水の量が減少していき、次第に、取水路の水位が水路Ｃの水位よりも低くなっていく。
そして、取水路の水位が水路Ｃの水位よりも所定の差低くなると、これを制御機構５０の水路水位検知センサ及び取水路水位検知センサが検知し、制御機構５０は駆動機構４０を作動させる。
【００３１】
駆動機構４０が作動すると、図４（ｂ）に示すように、回動部４３のモータ４４を作動して、回動軸４１を所定角度（本実施例においては約１５°）回動させ、主スクリーン２０の下流側端縁２５を水路Ｃ側に突出させて、スクリーンＳを突出位置Ｂに位置させる。この際、従スクリーン２１の上流側端縁２４は水路Ｃの中央側に移動し、従スクリーン２１の下流側端縁２７に設けられるローラ３１がレール３２上を移動して、従スクリーン２１の下流側端縁２７が水路Ｃの側面１１上を移動していく。
この際、回動軸４１には軸受け４２が設けられ、また、ローラ３１及びレール３２により従スクリーン２１の下流側端縁２７が円滑に移動するので、スクリーンＳが突出位置Ｂに移動しやすくなる。
【００３２】
また、この際、主スクリーン２０上のゴミは、水路Ｃの上流から下流に流れる水流に晒され、主スクリーン２０上のゴミの一部は、水路Ｃの下流へ逃されていく。また、主スクリーン２０の下流側端縁２５と取水口１２の下流側他側縁１４との間を従スクリーン２１が覆っているので、スクリーンＳが突出位置Ｂに位置して、主スクリーン２０の下流側端縁２５と取水口１２の下流側の他側縁１４との間に間隔があっても、この間から取水口１２に流入するゴミを従スクリーン２１により遮ることができる。
【００３３】
次にまた、図４（ｃ）に示すように、スクリーンＳを閉位置Ａに位置するように、回動軸４１を当初の回動とは逆方向に回動させる。
この際、突出位置Ｂにおいては、主スクリーン２０上に残った一部のゴミが、水路Ｃを上流から下流に流れる水の流れにより、主スクリーン２０に押し付けられているが、主スクリーン２０が回動して主スクリーン２０が閉位置Ａに戻る過程で、水路Ｃの水流に晒され水路Ｃの下流に逃がされる。
【００３４】
また、この際、相対的にスクリーンＳの裏面から表面に向かう水の流れができ、主スクリーン２０上のゴミにはスクリーンＳから離間するように水の力が作用するので、スクリーンＳ上のゴミがスクリーンＳから離れて水路Ｃの上流から下流に流れる水の流れに晒され易くなり、水路Ｃの下流にゴミを逃がしやすくできる。
更にまた、主スクリーン２０の上流側端縁３３の移動速度Ｖｂが、水路Ｃの水の流速Ｖａよりも速くなるように、回動軸４１の回動速度を制御したので、ゴミに掛かるスクリーンＳから離間する方向の水の力が相対的に大きくなり、水路Ｃの上流から下流に流れる水の流れにのせ易くでき、このため、水路Ｃの下流にゴミを逃がしやすくできる。
【００３５】
また、スクリーンＳが閉位置Ａと突出位置Ｂの２位置に移動する間、スクリーンＳの下端部のパッキン２９が取水口１２の下側の段差面１６から離間しても、スクリーンＳと水路Ｃの底面１０との間の隙間に備えられたゴミ避けロッド２８により、このスクリーンＳの下端縁側から取水口１２に入り込むゴミの入り込みを防ぐことができる。
スクリーンＳが閉位置Ａに位置すると、スクリーンＳの下端部に備えられるパッキン２９が取水口１２の下側の段差面１６に当接する。このため、閉じる際にスクリーンＳに生じる衝撃が吸収される。
この後、取水路の水位が水路Ｃの水位よりも所定の差だけ低くなるまでスクリーンＳを閉位置Ａで待機し、再び所定の差だけ低くなると、駆動機構４０を作動させて回動軸４１を回動させる。
【００３６】
次にまた、図５乃至図７には、別の本発明を実施するための最良の形態に係る水路Ｃの取水口用ゴミ逃がし装置Ｄ２を示している。
この水路Ｃの取水口用ゴミ逃がし装置Ｄ２は、上記の水路Ｃの取水口用ゴミ逃がし装置Ｄ１と略同様の構成であるが、上記とは異なり、主スクリーン２０の下流側端縁２５が、閉位置Ａにおいて、取水口１２の中間に位置するようその幅が小さく形成されている。また、従スクリーン２１は、上記と異なり、スクリーンＳの閉位置Ａにおいて、主スクリーン２０の下流側端縁２５（取水口１２の中間）から取水口１２の下流側他側縁１４よりも下流側に延設されている。そして、スクリーンＳの閉位置Ａにおいて、取水口１２は、主スクリーン２０と、従スクリーン２１の上流側の半分とに覆われている。これ以外は、上記と同様の構成である。
【００３７】
この水路Ｃの取水口用ゴミ逃がし装置Ｄ２を用いる際は、図７（ａ）に示すように、上記と同様に、予め、水路Ｃの取水口１２にこの水路Ｃの取水口用ゴミ逃がし装置Ｄ２を設置する。常時は、スクリーンＳを閉位置Ａで待機させておき、取水路に流入する水のゴミのみスクリーンＳに付着させる。そして、取水路の水位が水路Ｃの水位よりも所定の差が生じると、これを制御機構の水路水位検知センサ及び取水路水位検知センサが検知し、制御機構は駆動機構４０を作動させる。
【００３８】
駆動機構４０が作動すると、図７（ｂ）に示すように、駆動部のモータ４４を回動して、回動軸４１を所定角度（本実施例においては約６０°）回動させる。スクリーンＳが突出位置Ｂに達すると回動軸４１の回動を止める。
この際、水路Ｃの上流から下流への水の流れが従スクリーン２１の裏面側から従スクリーン２１を通過していくので、従スクリーン２１上のゴミは、従スクリーン２１上から離間して水路Ｃの下流へ逃がされる。また、主スクリーン２０上の一部のゴミは、水路Ｃを上流から下流に流れる水の流れにより下流側に流され、一部が主スクリーン２０に押し付けられる。
【００３９】
次にまた、図７（ｃ）に示すように、スクリーンＳを閉位置Ａに位置するように、回動軸４１を当初の回動とは逆方向に回動させる。
スクリーンＳが閉位置Ａに戻る際、主スクリーン２０に押し付けられていたゴミが水路Ｃの水流に晒され、水路Ｃの下流に逃がされていく。
その他の作用，効果は、上記のものと同様である。
【図面の簡単な説明】
【００４０】
【図１】本発明の実施の形態に係る水路の取水口用ゴミ逃がし装置を示す平面図である。
【図２】本発明の実施の形態に係る水路の取水口用ゴミ逃がし装置を示す正面図である。
【図３】本発明の実施の形態に係る水路の取水口用ゴミ逃がし装置を示す側面断面図である。
【図４】本発明の実施の形態に係る水路の取水口用ゴミ逃がし装置の作用を示す図であって、（ａ）はスクリーンの閉位置、（ｂ）はスクリーンの突出位置、（ｃ）はスクリーンが突出位置から閉位置に戻った各状態を夫々示す図である。
【図５】本発明の別の実施の形態に係る水路の取水口用ゴミ逃がし装置を示す平面図である。
【図６】本発明の別の実施の形態に係る水路の取水口用ゴミ逃がし装置を示す正面図である。
【図７】本発明の別の実施の形態に係る水路の取水口用ゴミ逃がし装置の作用を示す図であって、（ａ）はスクリーンの閉位置、（ｂ）はスクリーンの突出位置、（ｃ）はスクリーンが突出位置から閉位置に戻った各状態を夫々示す図である。
【図８】従来の水路の取水口用ゴミ逃がし装置の一例を示す図である。
【符号の説明】
【００４１】
Ｃ  水路
Ｄ１，Ｄ２  水路の取水口用ゴミ逃がし装置
Ｓ  スクリーン
Ｖａ  水路の水の流速
Ｖｂ  スクリーンの移動速度
Ａ  閉位置
Ｂ  突出位置
１０  底面
１１  側面
１２  取水口
１３  取水口の一側縁
１４  取水口の他側縁
１５  取水口の下縁
１６  段差面
２０  主スクリーン
２１  従スクリーン
２２  枠体
２２ａ  受け部材
２３  金網
２４  従スクリーンの上流側端縁
２５  主スクリーンの下流側端縁
２６  軸
２７  従スクリーンの下流側端縁
２８  ゴミ避けロッド
２９  パッキン
３０  ガイド機構
３１  ローラ
３２  レール
３３  上流側端縁
４０  駆動機構
４１  回動軸
４２  軸受け
４３  回動部
４４  モータ
４５  ギア機構
４６  ウオーム
４７  ウオームホイール
４８  ハンドル
５０  制御機構
【図１】
2005042509.tif 000003
【図２】
2005042509.tif 000004
【図３】
2005042509.tif 000005
【図４】
2005042509.tif 000006
【図５】
2005042509.tif 000007
【図６】
2005042509.tif 000008
【図７】
2005042509.tif 000009
【図８】
2005042509.tif 000010